(57)【要約】  人間の靴底、あるいは人間の靴に挿入する中底、中敷、矯正具は、脚の第１、第２、第３、第４および任意に第５中足骨頭を支持するための第１の領域と、前記第１の領域を取り囲み前記脚の残りの部分を少なくとも部分的に支持するための第２の領域とを含む脚支持上側面を有する。前記第１の領域が、前記第２の領域より小さい下方運動抵抗を提供し、前記第１の領域が、前記第１の領域の残りの部分に対して、内側縁部分と外側縁部分を有する穴またはくぼみ領域を有し、前記くぼみが、中心内側に偏った最低点を有し、それにより前記着用者が立脚中期から推進期に動くときに前記第１中足骨頭の外転が促進される。また人間の靴底は、着用者の脚の裏面の様々な硬さの領域とほぼ整合する様々な硬さの領域を有する脚支持面を有する。【選択図】図６
2013500825.tif 000002
【特許請求の範囲】
【請求項１】
脚の第１、第２、第３、第４および任意に第５中足骨頭を支持するための第１の領域と、前記第１の領域を取り囲み前記脚の残りの部分を少なくとも部分的に支持するための第２の領域とを含む脚支持上側面を有し、前記第１の領域が、前記第２の領域より小さい下方運動抵抗を提供し、前記第１の領域が、前記第１の領域の残りの部分に対して、内側縁部分と外側縁部分を有する穴またはくぼみ領域を有し、前記くぼみが、中心内側に偏った最低点を有し、それにより前記着用者が立脚中期から推進期に動くときに前記第１中足骨頭の外転が促進される、人間用の靴底。
【請求項２】
前記第１の領域が、前記第２の領域より低いジュロメータを有する、請求項１に記載の人間の靴底。
【請求項３】
前記第１の領域が、３０〜３５のショアＡ硬さを有する、請求項２に記載の靴底。
【請求項４】
前記第１の領域が、前記第２の領域に取り囲まれた材料のプラグで構成された、請求項１乃至３のいずれか１項に記載の靴底。
【請求項５】
前記くぼみ領域が、前記靴底に形成されその上側面から延在する開口を有する、請求項１乃至３のいずれか１項に記載の靴底。
【請求項６】
前記くぼみが、前記靴底の前記上側面の下に形成された穴を有する、請求項１乃至３のいずれか１項に記載の靴底。
【請求項７】
前記くぼみが、側壁の上縁からくぼみの最低点まで測定して２〜３ｍｍの標準深さ（normal depth）を有する、請求項１乃至６のいずれか１項に記載の靴底。
【請求項８】
前記くぼみが、平面内で実質的に円形である、請求項１乃至７のいずれか１項に記載の靴底。
【請求項９】
前記くぼみが、平面内で楕円形または卵形である、請求項１乃至７のいずれか１項に記載の靴底。
【請求項１０】
前記くぼみが、細長く、その爪先方向端の方がわずかに幅広である、請求項９に記載の靴底。
【請求項１１】
脚の第１、第２、第３、第４および任意に第５中足骨頭を支持するための第１の領域と、前記第１の領域を取り囲み前記脚の残りの部分を少なくとも部分的に支持するための第２の領域とを含む脚支持上側面を有し、前記第１の領域が、前記第２の領域より小さい下方運動抵抗を提供し、前記第１の領域が、前記第１の領域の残りの部分に対して、内側縁部分と外側縁部分を有する穴またはくぼみ領域を有し、前記くぼみが、前記中心内側の方に偏った最低点を有し、それにより前記着用者が立脚中期から推進期まで動くときに前記第１中足骨頭の外転が促進される、人間の靴内に挿入するための中敷。
【請求項１２】
前記第１の領域が、前記第２の領域より低いジュロメータを有する、請求項１１に記載の中敷。
【請求項１３】
前記第１の領域が、３０〜３５のショアＡ硬さを有する、請求項１２に記載の中敷。
【請求項１４】
前記第１の領域が、前記第２の領域によって取り囲まれた材料のプラグから形成された、請求項１１乃至１３のいずれか１項に記載の中敷。
【請求項１５】
前記くぼみ領域が、前記靴底に形成されその上側面から延在する開口を有する、請求項１１乃至１３のいずれか１項に記載の中敷
【請求項１６】
前記くぼみが、前記中敷の前記上側面の下に形成された穴を有する、請求項１１乃至１３のいずれか１項に記載の中敷。
【請求項１７】
前記くぼみが、前記側壁の上縁から前記くぼみの前記最低点まで測定して２〜３ｍｍの標準深さを有する、請求項１１乃至１６のいずれか１項に記載の中敷。
【請求項１８】
前記くぼみが、平面内で実質的に円形である、請求項１１乃至１７のいずれか１項に記載の中敷。
【請求項１９】
前記くぼみが、平面内で楕円形または卵形である、請求項１１乃至１７のいずれか１項に記載の中敷。
【請求項２０】
前記くぼみが、細長く、その爪先方向の端で少し幅広である、請求項１９に記載の中敷。
【請求項２１】
脚の第１、第２、第３、第４および任意に第５中足骨頭を支持するための第１の領域と、前記第１の領域を取り囲み前記脚の残りの部分を少なくとも部分的に支持するための第２の領域とを含む脚支持上側面を有し、前記第１の領域が、前記第２の領域より小さい下方運動抵抗を提供し、前記第１の領域が、前記第１の領域の残りの部分に対して、内側縁部分と外側縁部分を有する穴またはくぼみ領域を有し、前記くぼみが、前記中央内側に対して傾斜された最下点を有し、それにより、前記着用者が立脚中期から推進期まで動くときに前記第１中足骨頭の外転が促進される、人間の靴内に挿入するための敷皮。
【請求項２２】
前記第１の領域が、前記第２の領域より低いジュロメータを有する、請求項２１に記載の敷皮。
【請求項２３】
前記第１の領域が、３０〜３５のショアＡ硬さを有する、請求項２２に記載の敷皮。
【請求項２４】
前記第１の領域が、前記第２の領域によって取り囲まれた材料のプラグから形成された、請求項２１乃至２３のいずれか１項に記載の敷皮。
【請求項２５】
前記くぼみ領域が、前記靴底に形成されその上側面から延在する開口を有する、請求項２１乃至２３のいずれか１項に記載の敷皮。
【請求項２６】
前記くぼみが、前記中敷の前記上側面の下に形成された穴を有する、請求項２１乃至２３のいずれか１項に記載の敷皮。
【請求項２７】
前記くぼみが、側壁の上縁から前記くぼみの最低点まで測定して２〜３ｍｍの標準深さを有する、請求項２１乃至２６のいずれか１項に記載の敷皮。
【請求項２８】
前記くぼみが、平面内で実質的に円形である、請求項２１乃至２７のいずれか１項に記載の敷皮。
【請求項２９】
前記くぼみが、平面内で楕円形または卵形である、請求項２１乃至２７のいずれか１項に記載の敷皮。
【請求項３０】
前記くぼみが、細長く、その爪先方向の端で少し幅広である、請求項２９に記載の敷皮。
【請求項３１】
脚の第１、第２、第３、第４および任意に第５中足骨頭を支持するための第１の領域と、前記第１の領域を取り囲み前記脚の残りの部分を少なくとも部分的に支持するための第２の領域とを含む脚支持上側面を有し、前記第１の領域が、前記第２の領域より少ない下方運動抵抗を提供し、前記第１の領域が、前記第１の領域の残りの部分に対して、内側縁部分と外側縁部分を有する穴またはくぼみを有し、前記くぼみが、前記中心内側の方に偏った最低点を有し、それにより着用者が立脚中期から推進期まで動いたときに前記第１中足骨頭の外転が促進される、靴底内に挿入するための矯正器具。
【請求項３２】
前記第１の領域が、前記第２の領域より低いジュロメータを有する、請求項３１に記載の矯正器具。
【請求項３３】
前記第１の領域が、３０〜３５のショアＡ硬さを有する、請求項３２に記載の矯正器具。
【請求項３４】
前記第１の領域が、前記第２の部分によって取り囲まれた材料のプラグから構成された、請求項３１乃至３３のいずれか１項に記載の矯正器具。
【請求項３５】
前記くぼみ領域が、前記靴底に形成されその上側面から延在する開口を有する、請求項３１乃至３３のいずれか１項に記載の矯正器具。
【請求項３６】
前記くぼみが、前記中敷の前記上側面より下に形成された穴を有する、請求項３１乃至３３のいずれか１項に記載の矯正器具。
【請求項３７】
前記くぼみが、側壁の上縁から前記くぼみの最低点まで測定して２〜３ｍｍの標準深さを有する、請求項３１乃至３６のいずれか１項に記載の矯正器具。
【請求項３８】
前記くぼみが、平面内で円形である、請求項３１乃至３７のいずれか１項に記載の矯正器具。
【請求項３９】
前記くぼみが、平面内で楕円形または卵形である、請求項３１乃至３７のいずれか１項に記載の矯正器具。
【請求項４０】
前記くぼみが、細長く、その爪先方向の端が少し幅広である、請求項３９に記載の矯正器具。
【請求項４１】
前記矯正器具が、特注の矯正器具である、請求項３１に記載の矯正器具。
【請求項４２】
前記矯正器具が、既成の矯正器具である、請求項３１に記載の矯正器具。
【請求項４３】
着用者の脚の裏面の様々な硬さの領域とほぼ整合する様々な硬さの領域を有する脚支持上側面を有する人間の靴底。
【請求項４４】
中底、外側土踏まず領域、内側土踏まず領域、および踵領域を有し、前記中底と前記外側土踏まず領域が第１の硬さ値を有し、前記内側土踏まず領域が、前記第１の硬さ値より柔かい第２の硬さ値を有し、前記踵領域が、前記第１と第２の硬さ値より固い第３の硬さ値を有する、請求項４３に記載の靴底。
【請求項４５】
前記外側土踏まず領域が、２０〜６０のショアＣ硬さ値を有する、請求項４４に記載の靴底。
【請求項４６】
前記外側土踏まず領域が、約４０のショアＣ硬さを有する、請求項４４に記載の靴底。
【請求項４７】
前記内側土踏まず領域が、約１５〜５５のショアＣ硬さを有する、請求項４４に記載の靴底。
【請求項４８】
前記内側土踏まず領域が、約３５のショアＣ硬さを有する、請求項４４に記載の靴底。
【請求項４９】
前記踵領域が、約３０〜７０のショアＣ硬さを有する、請求項４４に記載の靴底。
【請求項５０】
前記踵領域が、約５０のショアＣ硬さを有する、請求項４４に記載の靴底。
【請求項５１】
前記中底が、前記着用者の前記第１中足骨頭の下にある穴またはくぼみを有する前方領域を有する、請求項４４乃至５０のいずれか１項に記載の靴底。
【請求項５２】
前記内側土踏まず領域が、前記第１の硬さ値より少なくとも５ショアＣポイント柔かいが１０ショアＣポイント以上軟らかくなく、前記踵領域が、前記第１の硬さ値より少なくとも１０ショアＣポイント硬いが２０ショアＣポイント以上硬くない、請求項４４乃至５１のいずれか１項に記載の靴底。
【請求項５３】
着用者の脚の裏面の様々な硬さの領域とほぼ整合する様々な硬さの領域を有する脚支持上側面を有する、人間の靴内に挿入するための中敷。
【請求項５４】
中底、外側土踏まず領域、内側土踏まず領域、および踵領域を有し、前記中底と前記外側土踏まず領域が、第１の硬さ値を有し、前記内側土踏まず領域が、前記第１の硬さ値より柔かい第２の硬さ値を有し、前記踵領域が、前記第１と第２の硬さ値より固い第３の硬さ値を有する、請求項５３に記載の中敷。
【請求項５５】
前記外側土踏まず領域が、２０〜６０のショアＣ硬さ値を有する、請求項５４に記載の中敷。
【請求項５６】
前記外側土踏まず領域が、約４０のショアＣ硬さを有する、請求項５４に記載の中敷。
【請求項５７】
前記内側土踏まず領域が、約１５〜５５のショアＣ硬さを有する、請求項５４に記載の中敷。
【請求項５８】
前記内側土踏まず領域が、約３５のショアＣ硬さを有する、請求項５４に記載の中敷。
【請求項５９】
前記踵領域が、約３０〜７０のショアＣ硬さを有する、請求項５４に記載の中敷。
【請求項６０】
前記踵領域が、約５０のショアＣ硬さを有する、請求項５４に記載の中敷。
【請求項６１】
前記中底が、前記着用者の第１中足骨頭の下にある穴またはくぼみを有する前方領域を有する、請求項５３乃至６０に記載の中敷。
【請求項６２】
前記内側土踏まず領域が、前記第１の硬さ値より少なくとも５ショアＣポイント軟らかいが１０ショアＣ以上軟らかくない第２の硬さ値を有し、前記踵領域が、前記第１の硬さ値より少なくとも１０ショアＣポイント硬いが２０ショアＣポイント以上硬くない第３の硬さ値を有する、請求項５４に記載の中敷。
【請求項６３】
着用者の脚の裏面の様々な硬さの領域とほぼ整合する様々な硬さの領域を有する脚支持上側面を有する、人間の靴内に挿入するための敷皮。
【請求項６４】
中底、外側土踏まず領域、内側土踏まず領域、および踵領域を有し、前記中底と外側土踏まず領域が、第１の硬さ値を有し、前記内側土踏まず領域が、前記第１の硬さ値より柔かい第２の硬さ値を有し、前記踵領域が、前記第１と第２の硬さ値より固い第３の硬さ値を有する、請求項６３に記載の敷皮。
【請求項６５】
前記外側土踏まず領域が、２０〜６０のショアＣ硬さ値を有する、請求項６４に記載の敷皮。
【請求項６６】
前記外側土踏まず領域が、約４０のショアＣ硬さを有する、請求項６４に記載の敷皮。
【請求項６７】
前記内側土踏まず領域が、約１５〜５５のショアＣ硬さを有する、請求項６４に記載の敷皮。
【請求項６８】
前記内側土踏まず領域が、約３５のショアＣ硬さを有する、請求項６４に記載の敷皮。
【請求項６９】
前記踵領域が、約３０〜７０のショアＣ硬さを有する、請求項６４に記載の敷皮。
【請求項７０】
前記踵領域が、約５０のショアＣ硬さを有する、請求項６４に記載の敷皮。
【請求項７１】
前記中底が、前記着用者の前記第１中足骨頭の下にある穴またはくぼみを有する前方領域を有する、請求項６２乃至７０のいずれか１項に記載の敷皮。
【請求項７２】
前記内側土踏まず領域が、前記第１の硬さ値より少なくとも５ショアＣポイント軟らかいが１０ショアＣポイント以上軟らかくない第２の硬さ値を有し、前記踵領域が、前記第１の硬さ値より少なくとも１０ショアＣポイント硬いが２０ショアＣ以上硬くない第３の硬さ値を有する、請求項６４に記載の敷皮。
【請求項７３】
着用者の脚の裏面の様々な硬さの領域とほぼ整合する様々な硬さの領域を有する脚支持上側面を有する、人間の靴内に挿入するための矯正器具。
【請求項７４】
中底、外側土踏まず領域、内側土踏まず領域、および踵領域を有し、前記中底と前記外側土踏まず領域が、第１の硬さ値を有し、前記内側土踏まず領域が、前記第１の硬さ値より柔かい第２の硬さ値を有し、前記踵領域が、第１と第２の硬さ値より固い第３の硬さ値を有する、請求項７３に記載の矯正器具。
【請求項７５】
前記外側土踏まず領域が、２０〜６０のショアＣ硬さ値を有する、請求項７４に記載の矯正器具。
【請求項７６】
前記外側土踏まず領域が、約４０のショアＣ硬さを有する、請求項７４に記載の矯正器具。
【請求項７７】
前記内側土踏まず領域が、約１５〜５５のショアＣ硬さを有する、請求項７４に記載の矯正器具。
【請求項７８】
前記内側土踏まず領域が、約３５のショアＣ硬さを有する、請求項７４に記載の矯正器具。
【請求項７９】
前記踵領域が、約３０〜７０のショアＣ硬さを有する、請求項７４に記載の矯正器具。
【請求項８０】
前記踵領域が、約５０のショアＣ硬さを有する、請求項７４に記載の矯正器具。
【請求項８１】
前記中底が、前記着用者の前記第１中足骨頭の下にある穴またはくぼみを有する前方領域を有する、請求項７２乃至８０のいずれか１項に記載の矯正器具。
【請求項８２】
前記内側土踏まず領域が、前記第１の硬さ値より少なくとも５ショアＣポイント柔らかいが１０ショアＣポイント以上軟らかくない第２の硬さ値を有し、前記踵領域が、前記第１の硬さ値より少なくとも１０ショアＣポイント硬いが２０ショアＣポイント以上硬くない第３の硬さ値を有する、請求項７４に記載の矯正器具。
【請求項８３】
着用者の脚の裏面の様々な硬さの領域とほぼ整合する様々な硬さの領域を有する脚支持上側面を有する、人間の靴用の中敷板。
【請求項８４】
中底、外側土踏まず領域、内側土踏まず領域、および踵領域を有し、前記中底と前記外側土踏まず領域が、第１の硬さ値を有し、前記内側土踏まず領域が、前記第１の硬さ値より柔かい第２の硬さ値を有し、前記踵領域が、前記第１と第２の硬さ値より固い第３の硬さ値を有する、請求項８３に記載の中敷板。
【請求項８５】
前記外側土踏まず領域が、２０〜６０のショアＣ硬さ値を有する、請求項８４に記載の中敷板。
【請求項８６】
前記外側土踏まず領域が、約４０のショアＣ硬さを有する、請求項８２に記載の中敷板。
【請求項８７】
前記内側土踏まず領域が、約１５〜５５のショアＣ硬さを有する、請求項８２に記載の中敷板。
【請求項８８】
前記内側土踏まず領域が、約３５のショアＣ硬さを有する、請求項８２に記載の中敷板。
【請求項８９】
前記踵領域が、約３０〜７０のショアＣ硬さを有する、請求項８２に記載の中敷板。
【請求項９０】
前記踵領域が、約５０のショアＣ硬さを有する、請求項８２に記載の中敷板。
【請求項９１】
前記中底が、前記着用者の前記第１中足骨頭の下にある穴またはくぼみを有する前方領域を有する、請求項８２乃至９０のいずれか１項に記載の中敷板。
【請求項９２】
前記内側土踏まず領域が、前記第１の硬さ値より少なくとも５ショアＣポイント軟らかいが１０ショアＣポイント以上軟らかくない第２の硬さ値を有し、前記踵領域が、前記第１の硬さ値より少なくとも１０ショアＣポイント硬いが２０ショアＣポイント以上硬くない第３の硬さ値を有する、請求項８２に記載の中敷板。
【発明の詳細な説明】
【技術分野】
【０００１】
本発明は、一般に履物に関し、より詳細には、立ち姿勢、歩行および走行中の着用者の快適さを高める特徴を有する履物用の中敷に関する。
【背景技術】
【０００２】
履物は、特に着用者が歩行または走行する際の靴内の人間の脚の動的外力を測定し生体力学的作用をより良く理解することを研究者に可能にした電気動態計の開発によって技術が著しく発展し進歩した。この手段を使用することによって、多くの研究者が、靴の間底（mid-sole）を技術的に進歩させた。間底は、主に、脚の裏の懸架システムとして働き、また着用者に脚の保護緩衝と安定した台の両方を提供することが多いので、多くの従来技術は、間底のばね係数を多様にして衝撃を分散させることによって、脚の打撃と関連した衝撃の緩和に注目してきた。
【０００３】
私の初期の特許文献１において、私は、これまで正当に理解されていない現象である機能的母趾制限（functional hallux limitus）の発見について述べており、この現象は、人々の大部分に影響を及ぼすと考えられる。機能的母趾制限を治療するために、私は、第１中足骨が足の親指と残りの中足骨頭に対する足底屈（plantarflex）をよりよく行えるようにする改善された靴底設計を作成した。前述の特許文献１に記載されたように、足底屈は、人間の歩行（gate cycle）中の人間の足の親指の広がりを効率的に可能にする。より詳細には、従来の特許文献１により、私は、実質的に着用者の脚の第１中足骨頭の場所の下だけに小さい支持領域を有する人間の靴底を作成した。特許文献１に記載されたように、実質的に第１中足骨頭の下だけに小さい支持領域を提供することにより、体重が踵から第１レイ（ray）に移動するときに第１中足骨頭の外転と足底屈が容易になる。これにより、足底屈と回外運動のための脚の正常機能が促進され、その後の踵接触時の歩行の快適さと衝撃吸収が改善される。私の発見の後で、第１中足骨頭の足底屈を促進するために、実質的に着用者の脚の第１中足骨頭の位置の下だけに小さい支持領域を有する中底を備えた何百万足もの靴が製造された。
【先行技術文献】
【特許文献】
【０００４】
【特許文献１】米国特許第４，５９７，１９５号明細書
【特許文献２】米国特許出願公開第２０１１／００２３３２４号明細書
【発明の概要】
【課題を解決するための手段】
【０００５】
本発明は、第１中足骨頭の下に、中心内側の方に偏った最低点を有する非対称的に形成されたくぼみを有する小さい支持領域を含む改善された中敷を提供する。この独特の形状は、さらに、着用者が立脚中期から推進期に動くときに第１中足骨頭を外転させる。
【０００６】
本明細書で使用されるとき、用語「靴底（sole）」および「中敷（inner sole）」は、交換可能に使用される。さらに、「靴底」または「中敷（insole）」は、中敷板などの履物製品に組み込まれるかまたはその一体要素を構成する要素でもよく、製造後に履物製品に挿入されてもよい敷皮または取外し式中敷、アフターマーケット用中敷装置、または特注もしくは既成の脚矯正器具を含む別個の要素でもよい。要素は、また、靴の脚支持面に刻み込まれてもよく脚支持面に形成されてもよい。
【０００７】
一様相では、本発明の改善された履物は、脚の第１、第２、第３、第４および任意に第５中足骨頭を支持する第１の領域と、第１の領域を取り囲み脚の残りの部分を少なくとも部分的に支持するための第２の領域とを有する前足区分を有する靴底を有する。第１の領域は、第２の領域を取り囲む部分より小さい支持を提供するように設計される。一般に、足裏は、第１の領域が、第２の領域より低いモジューロメータすなわち耐運動性を有する弾性変形可能な材料で形成される。また、外転を更に促進するために、実質的に第１の領域の第１中足骨頭の下だけにある領域が、周囲部分に対して非対称形状を有するくぼみを有し、くぼみの最低点が中心内側の方に偏っている。換言すると、くぼみは、側面の方が浅い傾斜を有する。これは、着用者が立脚中期から推進期に動くときに第１中足骨頭を外転させる効果がある。第１の領域の残りの部分は、好ましくは平らである。
【０００８】
別の態様では、本発明は、私の以前の特許文献１に示されまた前述されたように、中足骨の下で単独またはくぼみと組み合わせで使用することができる履物用の中敷のさらなる改善を提供する。より詳細には、我々は、着用者の脚の裏面の様々な硬さの領域とほぼ適合する様々な硬さの領域を有する脚支持上側面を提供することによって、高い快適さと生体力学的効率を達成できることを発見した。適切に実行されると、その結果、着用者の脚の表面と中敷の表面の間に機械インピーダンス整合が得られ、それにより２つの表面の間の差速が最小になる。
【図面の簡単な説明】
【０００９】
本発明のさらに他の特徴および利点は、添付図面と関連して行われる以下の詳細な説明から理解されるであろう。
【００１０】
【図１】右足用の本発明の第１の実施形態によるインサートを組み込む靴底の上面図である。
【図１Ａ】第１の実施形態によるインサート要素の詳細を０．３ｃｍの層の等高線で示す上面図である。
【図２Ａ】図１の線ＩＩＡに沿って切断された断面図である。
【図２Ｂ】図１の線ＩＩＢに沿って切断された断面図である。
【図２Ｃ】図１の線ＩＩＣに沿って切断された断面図である。
【図２Ｄ】図１の線ＩＩＤに沿って切断された断面図である。
【図３】上面図である。
【図４】本発明のインサート要素の第２の実施形態の一部分の詳細を０．３ｃｍの層の等高線で示す透明斜視図である。
【図５】本発明の第３の実施形態を示す断面図である。
【図６】本発明の第４の実施形態による靴底の斜視図である。
【発明を実施するための形態】
【００１１】
図面のうちの図１、図１Ａおよび図２Ａ乃至図２Ｄを参照すると、本発明により作成された履物は、着用者の脚の部分に対応する踵区分１２、土踏まず区分１４、前足区分１６および爪先区分１８を有する靴底（参照数字１０で示された）を含む。使用において、踵区分１２は、着用者の脚の踵の下にあり、また脚の内側と外側にそれぞれ対応する２０，２２で示された内側領域と外側領域を有する。同様に、踵区分１２の前方の土踏まず区分１４は、着用者の脚の土踏まずの下にあり、またそれぞれ内側領域２４と外側領域２６を有する。前足区分１６は、土踏まず区分１４の前方にあり、模型においてＭ１〜Ｍ５で示された第１、第２、第３、第４及び第５中足骨を含むいわゆる母指球を含む。また、母指球は、それぞれ第１、第２、第３、第４および第５中足骨と関連した第１、第２、第３、第４および第５中足骨頭（Ｎ１〜Ｎ５）と、それぞれ第１、第２、第３、第４及び第５中足骨頭の前方にある第１、第２、第３、第４および第５基節骨（ＰＰ１〜ＰＰ５）と、関連中足骨頭と基節骨の間の関連した第１、第２、第３、第４および第５中足骨指関節（印が付けられていない）とを有する。前足区分１６は、それぞれ２８と３０と示された第１と第２の領域に分割される。第１の領域２８は、第１、第２、第３及び第４中足骨頭、並びに任意に第５中足骨頭の下に部分的にあるように適応され、第２の領域３０は、基節骨（ＰＰ１〜ＰＰ５）の下に少なくとも部分的にあるように適応される。靴底の爪先区分１８は、前足区分１６の前方に広がり、少なくとも着用者の脚の爪先の中節骨ＭＰ２〜ＭＰ５と末節骨ＤＰ１〜ＤＰ５の下にある。
【００１２】
靴底１０は、前足区分１６の第１の領域２８内に、下方荷重または運動に対する小さい支持領域又は小さい抵抗領域があるように形成される。第１の領域２８は、下方運動に対する抵抗が第１の領域の周りの領域（すなわち、第２の領域３０）と爪先区分領域１８より小さい弾性変形材料で形成される。領域２８は、周囲領域３０および１８より小さいデュロメータ（durometer）を有する材料から形成されてもよい。領域２８は、典型的な人間の脚の脂肪パッドの硬さと厳密に整合する範囲３０〜３５のショアＡ硬さを有することが好ましい。あるいは、領域２８は、少なくとも部分的に第２の領域３０と爪先区分１８の表面より下に入るように、より薄く作成されてもよい。領域２８は、個別の要素（例えば、靴底１０に切り込まれるかまたは組み込まれたプラグまたはインサート４０）として形成されてもよく、靴底の上面または下面に、例えばモールド成形または機械加工によって形成されたくぼみとして形成されてもよい。領域２８は、柔軟な内張（図示せず）によって覆われてもよい。
【００１３】
また、領域２８内の実質的に着用者の第１中足骨頭の下だけにある領域が、領域２８の残りの部分に対して、非対称形状の穴またはくぼみ４２を有し、穴またはくぼみの最も低い箇所は、中央内側の方に偏っている。すなわち、詳細には図１Ａで分かるように、穴またはくぼみ４２は、その側面の方が浅い傾きを有する。
【００１４】
実際には、くぼみ４２は、平面内で円形またほぼ円形であり、対応する内側壁４４と外側壁４６もある程度丸められるか曲げられる。従って、本明細書で使用されるとき、「傾斜」は、側壁の上縁と、側壁がくぼみの底にモーフィングする箇所との間に延びる想像線またはコードである。これは、インサート４０の中間点を通る想像断面線４３である想像線（図４）によって最もよく分かる。この固有の幾何学形状は、着用者が立脚中期（midstance）から推進期（propulsive phase）まで動くときに着用者の第１中足骨頭を外転させる効果を有する。
【００１５】
寸法において、穴くぼみ４２は、平面内で少なくとも一部分が第１中足骨頭を収容するのに十分な大きさでなければならない。典型的な実施形態では、くぼみ４２は、脚のサイズにより、好ましくは約２．５４ｃｍ〜約３．８１ｃｍの直径を有する平面内で実質的に円形である。また、くぼみは、平面内で楕円形、卵形または細長い形でよく、また好ましくは側壁の上縁からくぼみの最低点まで測定して約２〜３ｍｍの範囲の公称深さでなければならない。この比較的小さな量にもかかわらず、このくぼみは、着用者が立脚中期から推進期まで動くときに第１中足骨頭を外転させる重大な効果を有する。代替の実施形態では、くぼみ４２Ａは、例えば図３乃至図４に示されたように、ある程度の細長く、その前方端の方が広い。
【００１６】
以上述べた中敷は、サンダルを含む街用及びスポーツ用履物で使用されてもよい。前述のように、中敷は、製造時に中敷板（insole board）に組み込まれてもよく、着用者が靴に入れるための敷皮としてまたはアフターマーケット用中敷装置または特注または既成の（店頭販売用）矯正器具として形成されてもよい。
【００１７】
図６は、本開示の好ましい実施形態による靴底１１０の実例である。矯正装置１１０は、中底１１２、外側土踏まず領域１１４、内側土踏まず領域１１６、および踵領域１１８を有する複合中敷を有する。中底（footbed）１１２と外側土踏まず領域１１４は、第１の硬さ値を有する。内側土踏まず領域１１６は、第１の硬さ値より軟らかい第２の硬さ値を有する。踵領域１１８は、第１の硬さ値より固い第３の硬さ値を有する。
【００１８】
使用において、踵領域１１８は、着用者の脚の踵の下にある。同様に、外側土踏まず領域１１４と内側土踏まず領域１１６は、着用者の脚の土踏まずの下にある。中底１１２は、第１、第２、第３、第４及び第５中足骨を含む着用者の母指球の下に、外側土踏まず領域１１４と内側土踏まず領域１１６の間の中央領域から矯正装置１１０の前部まで延在する。矯正装置１１０の様々なジュロメータは、着用者の脚の裏面の様々な硬さの領域とほぼ整合するように選択される。脚の形状とサイズは人により大きく異なるが、人体計測研究から、平均的な人間の脚の底の「脂肪パッド」の硬さがあまり異ならないことが分かっている。従って、我々は、中敷の硬さを着用者の脚の裏の様々な硬さの領域にほぼ適合するように変化させることによって、履物が平均的ユーザにとって極めて快適に作成され、また生体力学的効率が改善されることが分かった。要するに、本発明の文脈において、出願人は、所定の力で中敷が動く量が、脚の裏のパッドの動きと実質的に同じになるように、中敷を脚の裏に対して機械的インピーダンス整合させる。このようにして、中敷は、脚の裏のパッドの自然拡張物になる。例えば、第１の硬さ値は、約２０〜６０ショアＣ、好ましくは約４０ショアＣでよく、第２の硬さ値は、約１５〜５５ショアＣ、好ましくは約３５ショアＣでよく、第３の硬さ値は、約３０〜７０ショアＣ、好ましくは約５０ショアＣでよく、ここで、ショアＣは、米国材料試験協会によって認定されたジュロメータ・スケールである。米国材料試験協会によって認定された別のジュロメータ・スケールであるショアＡの条件下では、それらの望ましい値は、それぞれ約２０ショアＡ、１５ショアＡおよび３０ショアＡである。
【００１９】
中底１１２と外側土踏まず領域１１４が、第１の硬さ値を有すると述べたが、これらの２つの領域は、本開示の範囲から逸脱することなく僅かに異なる硬さ値を有してもよい。もっと正確に言うと、これらの領域は、踵領域１１８と内側土踏まず領域１１６とほぼ類似の硬さ値を有することに基づいて一緒に説明された。
【００２０】
本発明の好ましい実施形態では、中底１１２は、ユーザの脚の第１中足骨頭の位置のほぼ下に配置されたくぼみまたは穴１２０、すなわち私の前述の特許文献１または私の前述の特許文献２（米国出願第１２／５３４，７４１号）の教示によりまた図１乃至図５に関して前に述べたようなくぼみまたは穴１２０を有してもよい。前述の特許文献２および以上に記載されたように、穴またはくぼみ１２０は、着用者が立脚中期から推進期まで動くときに第１中足骨頭の外転を促進する。この穴またはくぼみ１２０は、中底１１２及び外側土踏まず領域１１４とほぼ同じ硬さを有するべきであるが、生産方法による違いが予想されることがある。
【００２１】
装置１１０の様々な領域は、一体的に製造されてもよく、共押出し、接合、接着、化学的接合、機械的接合、または当業者に既知の任意の方法での一体化が可能である。靴底装置は、サンダルを含む男性、女性および子どもの街用およびスポーツ用履物と共に使用されてもよい。靴底は、製造時に中敷板に組み込まれてもよく、着用者が靴に入れるための敷皮として形成されてもよく、アフターマーケット用中敷装置または特注もしくは既成の店頭販売用矯正器具として形成されてもよい。敷皮、中敷板または他の類似の包囲製品内に形成される場合、靴底１０の様々な領域が、互いに接合されなくてもよく、包囲製品によって適所に保持されるだけでもよい。
【００２２】
本発明の範囲を逸脱することなく上記の構造に種々の変更を行なうことができる。例えば、中央内側の方に偏ったテーパ付き側壁を有する非対称的に形成された穴は、靴の中敷板または敷皮の下面から下方に延在しかつ実質的に第１中足骨頭だけの下にあるように形成されてもよい。また、必要に応じて、例えば図５に示されたように、装置を左右に実質的に途中まで形成されたくぼみを有するように設計することができ、それにより、装置は、回転されるかひっくり返されて、右靴部品としても左靴部品としても働くことができる。従って、以上の説明に含まれるかまたは添付図面に示された内容は、例示であり限定の意味でないように解釈されるべきである。
【符号の説明】
【００２３】
１１０  矯正装置
１１２  中底
１１４  外側土踏まず領域
１１６  内側土踏まず領域
１１８  踵領域
１２０  穴
【図１】
2013500825.tif 000003
【図１Ａ】
2013500825.tif 000004
【図２Ａ】
2013500825.tif 000005
【図２Ｂ】
2013500825.tif 000006
【図２Ｃ】
2013500825.tif 000007
【図２Ｄ】
2013500825.tif 000008
【図３】
2013500825.tif 000009
【図４】
2013500825.tif 000010
【図５】
2013500825.tif 000011
【図６】
2013500825.tif 000012
【国際調査報告】
2013500825.tif 000013
2013500825.tif 000014